(57)【要約】      （修正有）【課題】コンパクトでかつ軽量で、手持ちの指輪がなくてもいつでも簡単に正確なサイズ計測が可能なリングゲージを提供する。【解決手段】指のサイズを計測するためのリングゲージ１１であって、帯状に形成されて可撓性が備えられた本体部１２と、該本体部１２の基端において軸方向に開口するように筒状に形成された筒状挿通部１５とを備え、本体部１２の筒状挿通部１５に挿通される先端側には、本体部１２全体で形成されるリングのリングサイズを示すための複数の目盛用突起１４ａ、１４ｂがその軸方向に並ぶように形成され、本体部１２の基端側の筒状挿通部１５の上部内壁には、挿通された先端側の目盛用突起１４ａ、１４ｂに係合される固定用突起１６が形成されており、本体部１２の先端が筒状挿通部１５に挿通されるとともに固定用突起１６が目盛用突起１４ａ、１４ｂに係合されることによって本体部１２がリング状に固定される。【選択図】図１
0003223134.tif 000002
【実用新案登録請求の範囲】
【請求項１】
指のサイズを計測するためのリングゲージであって、
帯状に形成されて可撓性が備えられた本体部と、該本体部の基端において軸方向に開口するように筒状に形成された筒状挿通部とを備え、
前記本体部の前記筒状挿通部に挿通される先端側には、前記本体部全体で形成されるリングのリングサイズを示すための複数の目盛用突起がその軸方向に並ぶように形成され、
前記本体部の基端側の前記筒状挿通部の上部内壁には、挿通された先端側の前記目盛用突起に係合される固定用突起が形成されており、
前記本体部の先端が前記筒状挿通部に挿通されるとともに前記固定用突起が前記目盛用突起に係合されることによって前記本体部がリング状に固定され、このときの目盛用突起のサイズ表示を利用して指のサイズを計測するものであることを特徴とするリングゲージ。
【請求項２】
前記軸方向に並ぶように形成された複数の目盛用突起は、帯状の本体部の幅方向に所定の間隔を有するように配設されていることを特徴とする請求項１に記載のリングゲージ。
【請求項３】
前記軸方向に並ぶように形成された複数の目盛用突起は、帯状の本体部の幅方向に所定の間隔を有するように配設されており、かつ対向する両側の目盛用突起が相手側の複数の目盛用突起の中間位置に配設されていることを特徴とする請求項２に記載のリングゲージ。
【請求項４】
前記本体部の基端側の前記筒状挿通部の上部内壁に形成された固定用突起は、前記本体部の両側の各中間位置に配設された複数の目盛用突起に合わせて、その両側にずらした位置に配設されていることを特徴とする請求項２に記載のリングゲージ。
【考案の詳細な説明】
【技術分野】
【０００１】
本考案は、指輪の購入等の際に使用する、指のサイズを計測するためのリングゲージに関するものである。
【背景技術】
【０００２】
指輪を店頭などで手に取って購入する際には、事前に試着をしてリングサイズが合うかどうかの確認が行われている。しかしながら、例えばオンラインショッピングを利用するなど実際の商品を手に取って確認できない場合においては、事前に試着をすることはできない。したがって、顧客側で事前にリングサイズを計測する必要があるのである。
【０００３】
以上のような場合にリングサイズを計測する手段としては、
１）リングサイズが目盛として刻まれた金属製のテーパ棒よりなるリングゲージ棒を用いて手持ちの指輪を計測することにより行う方法、
２）サイズの異なる複数の金属製のリングが束ねられたものを用いていずれかのサイズのリングを実際に指にはめることにより行う方法、
３）平板上にサイズの異なる複数の円孔が形成されたテンプレート型リングゲージを用いて手持ちの指輪を重ね合わせたり円孔に指を通すことにより行う方法、
４）メジャーを指に巻き付けることにより行う方法、などが知られている。
【先行技術文献】
【特許文献】
【０００４】
【特許文献１】実用新案登録第３１４９５５９号公報
【特許文献２】実用新案登録第３０１８３９９号公報
【特許文献３】実用新案登録第３０９１０２７号公報
【特許文献４】実用新案登録第３１３６０７７号公報
【特許文献５】実用新案登録第３１７５２２２号公報
【考案の概要】
【考案が解決しようとする課題】
【０００５】
しかしながら、
前記１）の方法は、リングゲージ棒が高価であること、重量が重くて送料のコストがかかること、手持ちの指輪がなければ測定できないことなどの問題がある。
前記２）の方法は、リングゲージが高価であること、重量が重くて送料のコストがかかることなどの問題がある。
前記３）の方法は、平板上に形成された複数の円孔同士を繋いでいるフレームの部分がじゃまとなって目的とするサイズの円孔に指を通しにくいこと、無理に指を通そうとすると指を必要以上に広げるので正確な指のサイズを計測するのが難しいことなどの問題がある。
前記４）の方法は、メジャーを巻き付ける位置によって計測されるサイズに違いが生じるおそれがあり、例えば指の最も太い部分を見極めてその部分にメジャーを巻き付けてサイズを計測するのが難しいという問題がある。また、一人では自分の指にメジャーを巻き付けるのが難しいという問題がある。
そこで前記４）のメジャーに代え、実用新案登録第３１７５２２２号公報（特許文献５参照）に示す、樹脂材料によって帯状に形成されて可撓性が備えられた本体部の先端側には複数のサイズ孔がその軸方向に並ぶように形成され、本体部の基端側にはサイズ孔内に圧入される固定用突起が突出形成され、本体部の基端には本体部の先端側を挿通する筒状挿通部が備えられており、本体部の先端側を筒状挿通部に挿通し、固定用突起をサイズ孔に圧入することによって所定のサイズのリングを形成し、これを指にはめることによって指のサイズを計測するリングゲージも提案されている。
【０００６】
しかしながら、前記複数のサイズ孔に固定用突起を圧入するようにした構造では、簡易迅速な計測作業は困難であり、また固定用突起の長さもサイズ孔の深さと等しい長さとする必要があって破損しやすかったり、維持管理が面倒であるという問題があった。
本考案は、前記事情に鑑みて考案されたものであり、構造が単純でコンパクトであり、低コストかつ軽量で、手持ちの指輪がなくてもいつでも簡単に正確なサイズ計測が可能なリングゲージを提供することにある。
【課題を解決するための手段】
【０００７】
前記課題を解決するため本考案に係るリングゲージは、指のサイズを計測するためのリングゲージであって、
帯状に形成されて可撓性が備えられた本体部と、該本体部の基端において軸方向に開口するように筒状に形成された筒状挿通部とを備え、
前記本体部の前記筒状挿通部に挿通される先端側には、前記本体部全体で形成されるリングのリングサイズを示すための複数の目盛用突起がその軸方向に並ぶように形成され、
前記本体部の基端側の前記筒状挿通部の上部内壁には、挿通された先端側の前記目盛用突起に係合される固定用突起が形成されており、
前記本体部の先端が前記筒状挿通部に挿通されるとともに前記固定用突起が前記目盛用突起に係合されることによって前記本体部がリング状に固定され、このときの目盛用突起のサイズ表示を利用して指のサイズを計測するものであることを特徴とするものである。
【０００８】
本考案に係るリングゲージにおいて、前記軸方向に並ぶように形成された複数の目盛用突起は、帯状の本体部の幅方向に所定の間隔を有するように配設されていることをも特徴とするものである。
【０００９】
本考案に係るリングゲージにおいて、前記軸方向に並ぶように形成された複数の目盛用突起は、帯状の本体部の幅方向に所定の間隔を有するように配設されており、かつ対向する両側の目盛用突起が相手側の複数の目盛用突起の中間位置に配設されていることをも特徴とするものである。
【００１０】
本考案に係るリングゲージにおいて、前記本体部の基端側の前記筒状挿通部の上部内壁に形成された固定用突起は、前記本体部の両側の各中間位置に配設された複数の目盛用突起に合わせて、その両側にずらした位置に配設されていることをも特徴とするものである。
【考案の効果】
【００１１】
本考案に係るリングゲージによれば、本体部の基端側に形成された筒状挿通部に帯状に形成されて可撓性が備えられた本体部の先端側が挿通されることによって本体部全体でリングが形成され、このリングが指のサイズを計測するためのリングとして用いられる。リングのサイズは、本体部の基端側に形成された筒状挿通部内の固定用突起に係合させる本体部の先端側の複数の目盛用突起の位置によって調整できる。固定用突起が所定位置の目盛用突起に係合されることによって本体部がリング状に固定され、このときの目盛用突起のサイズ表示を利用して指のサイズが計測される。
【００１２】
計測しようとする指のサイズは、リングゲージでリングを形成し、これを指にはめることで計測することができる。このため、手持ちの指輪がなくてもいつでも簡単に正確なサイズ計測が可能である。また、１本のリングゲージによってリングのサイズ調整が広範囲に可能である。しかもその構成は非常にコンパクトであり、嵩張ることもない。また軽量かつ安価にして持ち運びが容易である。
【００１３】
そして、前記軸方向に並ぶように形成された複数の目盛用突起は、帯状の本体部の幅方向に所定の間隔を有するように配設されており、かつ対向する両側の目盛用突起が相手側の複数の目盛用突起の中間位置に配設されている。
他方、前記本体部の基端側の前記筒状挿通部の上部内壁に形成された固定用突起は、前記本体部の両側の各中間位置に配設された複数の目盛用突起に合わせて、その両側にずらした位置に配設されている。
したがって、細かいサイズを効率よく計測することができ、しかも目盛用突起に固定用突起を確実に係合させることができる。
【図面の簡単な説明】
【００１４】
【図１】本考案に係るリングゲージの一実施形態を示すものであり、（ａ）はその概略平面図、（ｂ）はその概略正面図である。
【図２】（ａ）は筒状挿通部の拡大側面図、（ｂ）はその反対側から見た拡大側面図である。
【図３】本考案に係るリングゲージの使用状態を示すものであり、（ａ）はその概略正面図、（ｂ）はその概略断面図である。
【図４】本考案に係るリングゲージの使用状態を示すものであり、（ａ）は計測サイズが２１号の場合の概略正面図、（ｂ）は計測サイズが２２号の場合の概略正面図である。
【図５】本考案に係るリングゲージの使用状態を示すものであり、（ａ）は計測サイズが２１号の場合の概略断面図、（ｂ）は計測サイズが２２号の場合の概略断面図である。
【考案を実施するための形態】
【００１５】
次に、本考案のリングゲージの実施形態について図面に基いて詳細に説明する。図１〜図５はそれぞれ、本考案の一実施形態に係るリングゲージを説明する図である。
【００１６】
本考案の一実施形態に係るリングゲージ１１の本体部１２は、寸法変形の極めて小さいエンジニアリング樹脂等からなる材料によって帯状に形成されて可撓性が備えるものであることが望ましい。図１（ａ），（ｂ）に示すように、本体部１２の先端側には、１〜２９のサイズ表示用の数字１３（奇数）が所定間隔で本体部１２の軸方向に並ぶように浮き文字表示されている。
また前記浮き文字表示された数字１３に対応する位置の上部には、前記本体部１２全体で形成されるリングのリングサイズを示すための複数の目盛用突起１４ａ（奇数分）がその軸方向に並ぶように形成されている。
さらに、前記浮き文字表示された数字１３間の下部には、前記本体部１２全体で形成されるリングのリングサイズを示すための複数の目盛用突起１４ｂ（偶数分）がその軸方向に並ぶように形成されている。したがって、前記目盛用突起１４ａ（奇数分）は１〜２９のサイズ表示用の数字１３（奇数）に対応し、前記目盛用突起１４ｂ（偶数分）は２〜３０のサイズ表示（偶数）に対応している。
【００１７】
次に、前記本体部１２の基端には、軸方向に開口するように筒状に形成された筒状挿通部１５が形成されている。
図２（ａ）,（ｂ）に示すように、前記本体部１２の基端側の前記筒状挿通部１５の上部内壁には、挿通された前記本体部１２先端側の前記目盛用突起１４ａ，１４ｂに係合される幅方向に一対の固定用突起１６が形成されている。
したがって、図３（ａ）,（ｂ）および図４（ａ）,（ｂ）、図５（ａ）,（ｂ）に示すように、前記本体部１２の先端が前記筒状挿通部１５に挿通されるとともに前記固定用突起１６が前記目盛用突起１４ａ，１４ｂに係合されることによって前記本体部１２がリング状に固定される。そして、このときの目盛用突起１４ａ，１４ｂのサイズ表示を利用して図４（ａ），（ｂ）、図５（ａ）,（ｂ）に示すように、指のサイズを計測するのである。
【００１８】
なお、前記軸方向に並ぶように形成された複数の目盛用突起１４ａ，１４ｂは、帯状の本体部１２の幅方向に所定の間隔を有するように配設されている。
しかも、前記軸方向に並ぶように形成された複数の目盛用突起１４ａ，１４ｂは、対向する両側の目盛用突起１４ａまたは１４ｂが相手側の複数の目盛用突起１４ａまたは１４ｂのそれぞれの中間位置に配設されている。
【００１９】
またそれに対応して、前記本体部１２の基端側の前記筒状挿通部１５の上部内壁に形成された固定用突起１６は、前記本体部１２の両側の各中間位置に配設された複数の目盛用突起１４ａ，１４ｂに合わせて、その両側にずらした位置に配設することもできる。
【００２０】
前記本体部１２の長さは、指の長さを測るのに十分な長さであれば問題ないが、好適な長さとしては、９〜１１ｃｍの範囲内である。また前記本体部１２の幅は、特に限定されるものではないが、好適な幅としては、３〜８ｍｍの範囲内である。
【００２１】
以上の構成のリングゲージ１１を用いて指のサイズを計測するには、指のサイズを予測して予め所定のサイズに合わせてリングゲージ１１でリングを形成し、これを指にはめることによって行われる。
例えば指のサイズが１１号であると予測した場合には、予め１１号のサイズに合わせてリングゲージ１１でリングを形成し、これが指にうまくはまるか否かによって最適なリングサイズを判断する。大きすぎる、あるいは小さすぎると判断した場合には、サイズを変更して再度リングゲージ１１でリングを形成し、これを指にはめてみる。これを繰り返して、最終的に適合する最適なリングサイズを判断する。
もちろん、リングのサイズを予め大きめにしておき、指にはめてからリングのサイズを絞ってゆく方法でもよい。
【００２２】
前記リングゲージ１１のリングは、図３（ａ），（ｂ）に示すように、本体部１２の基端側に形成された筒状挿通部１６に本体部１２の先端側を挿通し、本体部１２の基端側に形成された筒状挿通部１６の上部内壁に位置する固定用突起１６に所定の位置の目盛用突起１４ａ，１４ｂを重ね合わせることにより形成される。リングサイズは、本体部１２の基端側に形成された固定用突起１８に重ね合わせる目盛用突起１４ａ，１４ｂの位置によって調整できる。
【００２３】
以上のように構成したリングゲージ１１によれば、手持ちの指輪がなくてもいつでも簡単に正確なサイズ計測が可能である。また、１本のリングゲージ１１によってリングのサイズ調整が広範囲に可能である。このため、構造が単純でコンパクトであり、低コストかつ軽量で、手持ちの指輪がなくてもいつでも簡単に正確なサイズ計測が可能なリングゲージを提供することができる。
【産業上の利用可能性】
【００２４】
以上、本考案の実施の形態について詳細に説明したが、本考案は前記実施の形態に何ら限定されるものではなく、本考案の要旨を逸脱しない範囲で種々の改変が可能である。
例えば前記実施形態では、固定用突起１６の数を複数にする点が示されているが、固定用突起１６の数が多ければ多いほど、固定用突起１６が形成されている部分と目盛用突起１４ａ，１４ｂが形成されている部分の密着力が高まるが、その反面外れにくくなることもあるため、密着力と取り外し容易性のバランスを考慮して固定用突起１６の数を決定するなどの工夫をすることが望ましい。
【符号の説明】
【００２５】
１１  リングゲージ
１２  本体部
１３  サイズ表示用の数字
１４ａ  目盛用突起（奇数分）
１４ｂ  目盛用突起（偶数分）
１５  筒状挿通部
１６  固定用突起
【図１】
0003223134.tif 000003
【図２】
0003223134.tif 000004
【図３】
0003223134.tif 000005
【図４】
0003223134.tif 000006
【図５】
0003223134.tif 000007